(57)【要約】    【課題】  男性器の陰茎１０の勃起を意のままに制御する。    【解決手段】  男性器の陰茎１０の陰茎静脈１７に電磁弁１８を接続するとともに、この電磁弁１８を陰茎１０の近傍において体内に埋込んだコントロールユニット４２によって開閉制御するようになし、外部からコマンダ５４によって信号を供給すると、これに応じてコントロールユニット４２が電磁弁１８を閉じて、陰茎海綿体２１、２２からの血液の排出を抑え、陰茎１０を勃起状態に維持する。    【選択図】    図４
2006280914.tif 000002
【特許請求の範囲】
【請求項１】
陰茎の海綿体から出る血液を肺に戻す静脈血管に開閉弁を接続し、制御手段によって前記開閉弁を開閉制御または開度調整することを特徴とする陰茎の勃起制御方法。
【請求項２】
前記開閉弁が、電磁弁であることを特徴とする請求項１に記載の陰茎の勃起制御方法。
【請求項３】
前記開閉弁が、電磁絞り弁であることを特徴とする請求項１に記載の陰茎の勃起制御方法。
【請求項４】
前記開閉弁が接続される血管が、陰茎背静脈であることを特徴とする請求項１に記載の陰茎の勃起制御方法。
【請求項５】
陰茎の海綿体から出る血液を肺に戻す静脈血管に接続される開閉弁と、
前記開閉弁を開閉制御または開度調整する制御手段と、
を有し、前記制御手段によって前記開閉弁を閉じるか絞って勃起状態を維持することを特徴とする陰茎の勃起制御装置。
【請求項６】
前記開閉弁が、電磁弁であることを特徴とする請求項５に記載の陰茎の勃起制御装置。
【請求項７】
前記開閉弁が、電磁絞り弁であることを特徴とする請求項５に記載の陰茎の勃起制御装置。
【請求項８】
前記開閉弁が、陰茎背静脈に接続されることを特徴とする請求項５に記載の陰茎の勃起制御装置。
【請求項９】
前記開閉弁が柔軟なチューブと、該チューブを押圧する押圧子とを有し、前記押圧子によって前記チューブを押潰して閉止または絞るようにしたことを特徴とする請求項５に記載の陰茎の勃起制御装置。
【請求項１０】
前記柔軟なチューブが合成高分子材料から成り、両端が接続筒を介して陰茎背静脈に接続されることを特徴とする請求項５に記載の陰茎の勃起制御装置。
【請求項１１】
前記制御手段が、体内に埋設され、前記開閉弁の開閉または絞り量を制御するコントロールユニットと、
前記コントロールユニットに対して外部から制御信号を送信するコマンダと、
を有することを特徴とする請求項５に記載の陰茎の勃起制御装置。
【請求項１２】
前記制御手段が、体内に埋設され、前記開閉弁を開閉または絞り量を制御するコントロールユニットを有し、
該コントロールユニットのケーシングの外表面に押圧式の操作部が設けられ、該操作部を皮膚の外側から押圧操作することにより、前記コントロールユニットに対して制御信号を供給することを特徴とする請求項５に記載の陰茎の勃起制御装置。
【請求項１３】
前記制御手段が時間を計測する計測手段を有し、前記開閉弁が閉じられるか絞られてから所定時間経過したことが前記計測手段によって計測されたら、前記開閉弁を開弁することを特徴とする請求項５に記載の陰茎の勃起制御装置。
【発明の詳細な説明】
【技術分野】
【０００１】
本発明は、男性器である陰茎（ペニス）を勃起状態に維持する陰茎の勃起制御方法および陰茎の勃起制御装置に関する。
【背景技術】
【０００２】
性交は、男性器である陰茎を女性器の膣腔内に挿入して行なう交接行為である。女性器の膣腔は、周囲の生体組織が互いに内側にせり出して接触し、通常閉鎖状態にある。従って陰茎が勃起していないと、膣腔内に陰茎を挿入することができず、性交を行なうことが不可能になる。従って陰茎を勃起状態にする機能は、男性器の機能として極めて重要である。
【０００３】
特開平６−１２５９３１号公報には、股の男性器の付根から肛門にわたってあてがわれ硬く強度を有する材料によって形成されたベース部材と、ベース部材の男性器側に設けられる拡張自在の空気袋と、空気袋内に空気を送込みまたは排泄させるポンプと、ベース部材を男性器の付根から肛門にわたってあてがわれるように身体に取付けるための取付け部とを備えた男性器の機能増強装置が開示されている。
【０００４】
この機能増強装置によると、空気袋が股の男性器の付根の後部を圧迫することになり、男性器から心臓に向かって還流される血流が流れる静脈を圧迫する。このため動脈から男性器の陰茎に送込まれていく血液は出口が塞がれた状態となり、陰茎を構成する海綿体はみるみる充血して、陰茎はいわゆる勃起状態になるとしている。しかるに実際には、必ずしも空気袋が静脈を効果的にかつ確実に圧迫することにはならない。むしろ動脈を圧迫した場合には、勃起が妨げられ、逆効果を生ずる。
【特許文献１】特開平６−１２５９３１号公報
【特許文献２】特開２００２−２３８９３３号公報
【発明の開示】
【発明が解決しようとする課題】
【０００５】
本願発明の課題は、陰茎を確実に勃起状態に維持することができる陰茎の勃起制御方法および制御装置を提供することである。
【０００６】
本願発明の別の課題は、意思のままに陰茎を勃起状態にしてしかもその勃起状態を維持するようにした陰茎の勃起制御方法および制御装置を提供することである。
【０００７】
本願発明のさらに別の課題は、陰茎の勃起の終了時を意思のままに自由に制御可能な勃起の制御方法および制御装置を提供することである。
【０００８】
本願発明のさらに別の課題は、勃起の開始時期および終了時期を意思のままに任意に制御することが可能な勃起の制御方法および制御装置を提供することである。
【０００９】
本願発明のさらに別の課題は、性交中に陰茎の勃起状態が解除されるいわゆる中折れを回避できる勃起の制御方法および制御装置を提供することである。
【００１０】
本願発明のさらに別の課題は、性交時における陰茎の勃起状態の維持時間を意思のままに任意に制御できる勃起の制御方法および制御装置を提供することである。
【００１１】
本願発明のさらに別の課題は、勃起不全や勃起障害等のＥＤ（Ｅｒｅｃｔｉｌｅ  Ｄｙｓｆｕｎｃｔｉｏｎ）を物理的な方法で解消するようにした勃起の制御方法および制御装置を提供することである。
【００１２】
本願発明の上記の課題および別の課題は、以下に述べる本願発明の技術的思想およびその実施の形態によって明らかにされよう。
【課題を解決するための手段】
【００１３】
本願の主要な発明は、陰茎の海綿体から出る血液を肺に戻す静脈血管に開閉弁を接続し、制御手段によって前記開閉弁を開閉制御または開度調整することを特徴とする陰茎の勃起制御方法に関するものである。ここで、前記開閉弁が、電磁弁であってよい。また前記開閉弁が、電磁絞り弁であってよい。また前記開閉弁が接続される血管が、陰茎背静脈であってよい。
【００１４】
制御装置に関する主要な発明は、陰茎の海綿体から出る血液を肺に戻す静脈血管に接続される開閉弁と、
前記開閉弁を開閉制御または開度調整する制御手段と、
を有し、前記制御手段によって前記開閉弁を閉じるか絞って勃起状態を維持することを特徴とする陰茎の勃起制御装置に関するものである。
【００１５】
ここで、前記開閉弁が、電磁弁であってよい。また前記開閉弁が、電磁絞り弁であってよい。また前記開閉弁が、陰茎背静脈に接続されてよい。また前記開閉弁が柔軟なチューブと、該チューブを押圧する押圧子とを有し、前記押圧子によって前記チューブを押潰して閉止または絞るようにしてよい。また前記柔軟なチューブが合成高分子材料から成り、両端が接続筒を介して陰茎背静脈に接続されてよい。
【００１６】
また前記制御手段が、体内に埋設され、前記開閉弁の開閉または絞り量を制御するコントロールユニットと、前記コントロールユニットに対して外部から制御信号を送信するコマンダと、を有していてよい。また前記制御手段が、体内に埋設され、前記開閉弁を開閉または絞り量を制御するコントロールユニットを有し、該コントロールユニットのケーシングの外表面に押圧式の操作部が設けられ、該操作部を皮膚の外側から押圧操作することにより、前記コントロールユニットに対して制御信号を供給するようにしてよい。また前記制御手段が時間を計測する計測手段を有し、前記開閉弁が閉じられるか絞られてから所定時間経過したことが前記計測手段によって計測されたら、前記開閉弁を開弁してよい。
【発明の効果】
【００１７】
本願発明は、陰茎の海綿体から出る血液を肺に戻す静脈血管に接続される開閉弁と、前記開閉弁を開閉制御または開度調整する制御手段と、を有し、前記制御手段によって前記開閉弁を閉じ、これによって陰茎の海綿体から出る血液を遮断し、陰茎を勃起状態に維持するようにしたのものである。
【００１８】
従ってこのような構成によると、制御手段によって開閉弁を閉止または絞ることによって、陰茎から静脈血管へ流れる血流が遮断されるか絞られ、これによって陰茎が勃起状態に維持される。この勃起状態は、開閉弁が開放されるまで継続されるために、勃起状態を意思のままに任意に制御できるようになる。
【発明を実施するための最良の形態】
【００１９】
以下本願発明を図示の実施の形態によって説明する。図１は、第１の実施の形態に係る陰茎の勃起制御方法および制御装置の概略を示す、人体の内部における血管の構成を示すものであって、男性器である陰茎１０に対する心臓１１からの血液の流れは、腹部大動脈１２、総腸骨動脈１３、内腸骨動脈１４、および陰茎動脈１５によって行なわれ、心臓１１からの血液はこれらの動脈１２、１３、１４、１５をその順に流れ、陰茎１０に至る。陰茎１０からの血液の排出は、陰茎静脈１７によって行なわれ、この静脈１７による血流が肺に戻されて炭酸ガス／酸素交換が行なわれ、この後に心臓１１に戻る。そしてここでは、陰茎静脈１７に電磁弁１８が接続されることを特徴としている。
【００２０】
図２示すように、陰茎動脈１５は陰茎１０内において左右２本ずつに分岐しており、これに対して陰茎静脈１７は両側の左右の陰茎動脈１５の間において中央に延びている。
【００２１】
図３および図４は上記の陰茎動脈１５と陰茎静脈１７とが引出される陰茎１０の内部構造、とくにその海綿体の構造を示している。陰茎１０内には左右一対の陰茎海綿体２１、２２と、それらの下側の尿道海綿体２３とが存在する。ここで左右一対の陰茎海綿体２１、２２は白膜２４によって覆われており、これに対して陰茎海綿体２３は白膜２４の外側であって下側に位置している。そして陰茎海綿体２３の中央部に尿道２５が貫通して形成される。
【００２２】
陰茎動脈１５はその先端側が左右一対の陰茎海綿体２１、２２の中心部に貫通されて陰茎深動脈２７を構成している。そして陰茎深動脈２７からは、放射状にらせん動脈２８が延びており、らせん動脈２８によって陰茎海綿体２１、２２内に血液を供給している。これに対して左右一対の陰茎海綿体２１、２２の上側に位置するように陰茎背静脈２９が上記陰茎静脈１７の先端側に延びている。なお陰茎背静脈２９の両側には、白膜２４の外側において左右一対の陰茎背動脈３０が延びている。
【００２３】
図５および図６は陰茎海綿体２１、２２の断面構造を模式的に示しており、図５が通常の状態を、図６が勃起状態を示している。白膜２４によって外周囲が覆われる陰茎海綿体２１内には、網目状に平滑筋３２が延びている。
【００２４】
性的刺激によって脳が興奮すると、一酸化窒素が陰茎１０内において、図５に示す萎縮状態の海綿体２１の平滑筋３２に作用し、これによって平滑筋３２が弛緩する。すると陰茎深動脈２７からの血流によって陰茎海綿体２１が血液によって満たされ、図６に示す勃起状態になる。しかもこのときに陰茎海綿体２１が、平滑筋の弛緩によって半径方向に膨張するために、陰茎海綿体２１の外周囲に接続されている陰茎背静脈２９が陰茎海綿体２１と白膜２４とによって狭窄され、陰茎海綿体２１からの静脈流が遮断される。従って陰茎海綿体２１は膨張したままの状態になり、これによって勃起状態が発現する。
【００２５】
上記のような勃起状態において、脳からの刺激が停止したり、あるいはまた射精が行なわれたりすると、分解酵素フォスフォジェステラーゼ（ＰＤＥ、Ｐｈｏｓｐｈｏｄｉｅｓｔｅｒａｓｅ）が作用し、平滑筋３２を緊張させて陰茎海綿体２１を収縮させる。従って陰茎１０は図６に示す状態から図５に示す状態に変化し、白膜２４と陰茎海綿体２１とによって挟着されていた陰茎背動脈３０の狭窄が解除される。従って陰茎海綿体２１から陰茎背静脈２９を通って陰茎静脈１７に海綿体２１内の血液が排出され、勃起状態が解消される。
【００２６】
本実施の形態においては、上記陰茎背静脈２９あるいは陰茎静脈１７の所定の位置を切断し、そこに電磁弁１８を接続し、この電磁弁１８を、その近傍において下腹部に埋設されたコントロールユニット４２によって開閉制御することによって、勃起状態を制御している。
【００２７】
ここで電磁弁１８は図７に示すように、陰茎静脈１７と接続される血液通路３５にバルブシート３６が形成され、このバルブシート３６に対して接触および離間可能にダイヤフラム４０を備える弁体３７が配されている。そしてコイル３８による磁力とばね３９の力のバランスによって開閉制御を行なっている。なお図７に示す電磁弁１８は、電流を遮断すると開くようになっており、励磁すると閉じるようになっているが、逆に励磁すると開き、消磁すると閉鎖されるようにしてもよい。前者の方が省電源型になる点で有利である。ダイヤフラム４０は、コイル３８側に血液が流入するのを阻止する。
【００２８】
なおここで電磁弁１８は、励磁された状態において、少量の血流を許容する絞り弁から構成されるようにしてもよい。一般に自然な勃起状態においては、完全に陰茎背静脈２９が狭窄されるのではなく、微少な血液の流れを許容している。従ってこのような自然な状態に近付けるために、電磁弁１８は、閉止状態においてなお微少量の血流を流す絞り弁から構成されるようにし、陰茎海綿体２１、２２の酸欠を防止することができる。
【００２９】
また電磁弁１８は必ずしも単一で使用される必要はなく、図８に示すように一対の電磁弁１８を互いに並列に接続して用いてもよい。この場合においては、例えば一方の電磁弁１８が故障して閉じたままになっても、他方の電磁弁１８を開閉制御することによって血液の流れを確保できる。このような構成によると、電磁弁１８の故障に伴なう陰茎１０の酸欠による壊死の事故が防止される。
【００３０】
図９は上記電磁弁１８の開閉のためのコントロールユニット４２と、コマンダ５４と、充電器６２とを示している。
【００３１】
ここで、コントロールユニット４２はアンテナ４３を備える通信回路４４と、制御回路４５と、駆動回路４６とを備えている。駆動回路４６の出力端が電磁弁１８のコイル３８に接続される。さらにコントロールユニット４２はコイル４８と、充電回路４９と、２次電池５０と、電源回路５１とを備えており、電源回路５１によって上記通信回路４４、制御回路４５、および駆動回路４６を駆動する。
【００３２】
コマンダ５４は一対のキースイッチ５５、５６と、制御回路５７と、送信回路５８とを備え、さらに通信回路５８の出力端にアンテナ５９が接続される。なおここでは図示を省略しているが、コマンダ５４は例えば乾電池を電源として用いる。
【００３３】
充電器６２は商用電源を取込むことができる電源回路６３と、この電源回路６３の出力によって、１次電流が流れるコイル６４とから構成される。
【００３４】
次に以上のような構成になる陰茎１０の勃起制御方法および制御装置の動作を説明する。電磁弁１８の遮断動作は、図５に示すように平滑筋３２が緊張して陰茎１０が萎縮状態で行なわれてもよいが、自然に陰茎１０が勃起した状態、すなわち図６に示すように平滑筋３２が弛緩し、陰茎１０の海綿体２１に血液が充満し、陰茎背静脈２９がブロックされた状態で行なわれてもよい。なお電磁弁１８は通常は開放状態にある（図７Ａ参照）。
【００３５】
図９に示すコマンダ５４のキースイッチ５５を押圧し、これによって制御回路５７に起動信号を与える。すると制御回路５７が送信回路５８を作動させ、送信回路５８によってアンテナ５９を通してワイヤレスで、すなわち電波によってコントロールユニット４２のアンテナ４３に電波を送信する。生体組織は電波に対してほぼ透明であるから、アンテナ４３を介して通信回路４４がこの電波を受信し、制御回路４５に信号を供給する。従って制御回路４５が上記の信号に応答し、駆動回路４６を作動させる。従って駆動回路４６が電磁弁１８のコイル３８を励磁または消磁し、電磁弁１８を閉じる。
【００３６】
陰茎１０の陰茎静脈１７に接続されている電磁弁１８が閉じられると、陰茎１０の海綿体２１内の血液が肺を通って心臓１１側へ還流できなくなる。一方心臓１１からは陰茎動脈１５および陰茎深動脈２７を介して海綿体２１の中央部に血液が供給され続ける。従って血圧によって陰茎海綿体２１が膨張状態になり、あるいはまた膨張状態をそのまま維持する。
【００３７】
脳からの性的刺激に基づく信号が遮断し、あるいはまた分解酵素であるフォスフォジェステラーゼが作用しても、陰茎海綿体２１内の血液が抜けないために、陰茎１０は勃起状態を維持する。この勃起状態は、電磁弁１８が閉止されている間は維持される。従ってコマンダ５４によって電磁弁１８の開放信号を送信するまでは、陰茎１０は勃起状態に維持される。
【００３８】
図９に示すコマンダ５４のキースイッチ５６を押すと、制御回路５７が送信回路５８に別の信号を発する。すると送信回路５８がアンテナ５９を通してコントロールユニット４２のアンテナ４３に解除信号を含む電波を送信する。従って通信回路４４が制御回路４５に解除信号を供給することになり、駆動回路４６はこの解除信号を受けて電磁弁１８のコイルを切換える。これによって電磁弁１８が開かれる。すると陰茎静脈１７から血液が肺側に流出するようになり、これによって陰茎１０の勃起状態が解除され、陰茎１０は平常の状態に戻る（図５参照）。
【００３９】
ここでコントロールユニット４２は、電磁弁１８に近接して下腹部内に埋設されるとともに、その出力端が電磁弁１８のコイル３８に接続される。これに対してコマンダ５４は、手に持って操作するようになっている。従ってコマンダ５４のキースイッチ５５、５６の選択的な操作のみによって、陰茎１０の勃起およびその解除を、意思のままに自由に制御することができる。すなわち脳からの性的な興奮に基づく指令が停止した場合や、フォスフォジェステラーゼが作用しても、陰茎は勃起状態に維持されるようになる。
【００４０】
なお分解酵素フォスフォジェステラーゼが作用すると、平滑筋３２が図５に示す緊張状態になり、これによって海綿体２１が収縮する方向に引っ張られるために、陰茎１０は一回り小さくなる。ところがクエン酸シルデナフィル（商品名バイアグラ）や塩酸バルデナフィル（商品名レビトラ）は、何れも上記の分解酵素の働きを阻止する作用を持っている。従って予め上記のような薬品を服用した状態で性交を行なうとともに、その途中で電磁弁１８を閉止した場合には、分解酵素がほとんど作用しなくなるために、平滑筋３２が緊張状態になることが阻止され、これによってほぼ完全な勃起状態を長時間にわたって維持できるようになる。
【００４１】
上述の如くコントロールユニット４２は、陰茎１０の近傍において電磁弁１８とともに体内に埋込まれて使用される。ここでこのコントロールユニット４２を駆動する２次電池５０が放電すると、電磁弁１８の開閉動作ができなくなる。その場合には充電器６２によって充電を行なう。充電器６２を下腹部のコントロールユニット４２の側方に近接させると、充電器６２のコイル６４とコントロールユニット４２の充電回路４９と接続されたコイル４８とが磁気結合される。従って電源回路６３を通してコイル６４に１次の交番電流を流すと、コントロールユニット４２のコイル４８に、トランスの原理によって２次電流を生じ、この２次電流によって充電回路４９を通して２次電池５０を充電することができる。なお２次電池５０に代えて、高容量の小型の１次電池を用いるようにしてもよい。
【００４２】
次に別の実施の形態を図１０〜図１３によって説明する。この実施の形態は、開閉弁とコントロールユニット４２のハウジングとして、図１０に示すように、ほぼ矩形のケーシング７２を有し、このケーシング７２の互いに対向する側壁の部分に、軸線がほぼ一致するように一対の接続筒７３、７４が取付けられている。すなわち接続筒７３、７４はそれぞれフランジ７５を有し、フランジ７５がケーシング７２の側面であって貫通孔７６の周縁部に接合されることによって、接続筒７３、７４がケーシング７２に取付けられる。そして上記接続筒７３、７４間を連通させるように、断面が円形の高分子チューブ７８が接続されている。高分子チューブ７８は、柔軟であってしかも屈曲の繰返し強度に優れた物性のチューブである。
【００４３】
上記高分子チューブ７８の外周の一端を受けるように、受け板８１が固定されている。そして高分子チューブ７８に対して受け板８１とは反対側に押圧子８２が配され、この押圧子８２が雌ねじ孔８３を備え（図１１参照）、送りねじ８４に螺合されている。送りねじ８４の先端側の部分には平歯車８５が固着され、この平歯車８５がモータ８６の出力軸に固着された駆動歯車８７と噛合うようになっている。そして平歯車８５にはさらに被検出円板８８が取付けられるとともに、被検出円板８８の回転を検出器８９によって検出するようにしている。検出器８９はプリント基板９０上の制御回路４５（図１２参照）に接続されている。
【００４４】
次に上記プリント基板９０上の制御回路４５の構成を図１２によって説明する。この実施の形態においては、上記の実施の形態のようなコマンダ５４を用いることなく、コントロールユニット４２をスイッチ９３、９４、９５によって直接制御するようにしている。すなわちモータ８６を駆動する駆動回路４６と接続された制御回路４５の入力側に、スイッチ９３、９４、９５が接続される。
【００４５】
スイッチ９３を押圧すると、上記高分子チューブ７８を閉止する信号を制御回路４５が発する。これに対してスイッチ９４が押されると、制御回路４５は、高分子チューブ７８の押圧を解除してこの高分子チューブ７８を円形の状態に復元させる信号を発生する。またスイッチ９５は、上記チューブ７８の絞り量を制御する信号を発し、このスイッチ９５の押圧時間に応じて高分子チューブ７８の絞り量が調整されるようになっている。なお上記駆動回路４６および制御回路４５の電源回路は、上記第１の実施の形態と同様であって、磁気結合による充電によって、２次電池５０の充電を行なうようにしている。
【００４６】
このようなコントロールユニット４２は図１３に示すケーシング７２内に収納された状態で、下腹部であって皮膚の内側に埋設される。このときに上記３つのスイッチ９３、９４、９５が皮膚を通して外部から指で押圧操作できるようになっている。
【００４７】
以上のような構成において、通常は高分子チューブ７８は、図１１Ａに示すように、断面がほぼ円形の状態で受け板８１と押圧子８２との間に配されている。制御回路４５に接続されているスイッチ９３の押圧操作によって、制御回路４５が駆動回路４６に対して制御信号を送信する。従って駆動回路４６がモータ８６を駆動し、駆動歯車８７が平歯車８５を駆動する。従って送りねじ８４が回転し、この送りねじ８４と螺合している押圧子８２が図１１Ｂに示すように右方に送られる。従って高分子チューブ７８は受け板８１に対して押付けられるようになり、これによってこの高分子チューブ７８がほぼ押潰されて閉止される。高分子チューブ７８の両端は接続筒７３、７４を介して陰茎静脈１７に接続されているために、陰茎静脈１７を通しての静脈血の流動が阻止される。これによって陰茎が勃起状態になる。
【００４８】
コントロールユニット４２のスイッチ９４を皮膚の上から押圧操作すると、これによって制御回路４５が駆動回路４６に対して制御信号を発し、モータ８６を逆転させる。従ってモータ８６の回転が駆動歯車８７および平歯車８５を介して送りねじ８４に伝達される。従って送りねじ８４によって押圧子８２が引戻され、このために押圧子８２は図１１Ｂに示す状態から図１２Ａに示す状態に変化する。すなわち押圧子８２による高分子チューブ７８の押圧が解除され、これによって高分子チューブ７８が開放され、静脈血の流動が可能な状態になる。従って陰茎の勃起状態が解除される。
【００４９】
またこのコントロールユニット４２の制御回路４５に接続されているスイッチ９５の押圧操作によって、このスイッチ９５の閉止時間に応じた信号を制御回路４５が発し、これによってモータ８６および押圧子８２による高分子チューブ７８の押潰し量の調整を行なうことが可能になる。すなわち高分子チューブ７８の押潰し量を図１１Ｃに示すように中間の値にすると、この高分子チューブ７８を通して少量の血液が流動する。従って陰茎の勃起時における硬さを調整することができるとともに、陰茎の酸欠に伴う壊死を解消することが可能になる。
【００５０】
なお図１０に示す被検出円板８８と検出器８９とによる押圧子８２の送り量の調整に代えて、受け板８１と押圧子８２との間のギャップを検出するギャップセンサを設け、このギャップセンサの検出出力を制御回路４５にフィードバック制御することによって、図１１Ｃに示す高分子チューブ７８の絞り量をフィードバック制御することが可能になり、これによって高分子チューブ７８のより高精度な絞り制御が可能になる。
【００５１】
また上記コントロールユニット４２の制御回路４５にマイクロコンピュータを用いるようにしてもよい。この場合には、スイッチ９３が押された場合には図１４Ａに示すように、このスイッチ９３のＯＮを検出して高分子チューブ７８を押潰す制御動作が行なわれる。またスイッチ９４が押圧された場合には、図１４Ｂに示すように、このスイッチ９４の押圧動作に応答して高分子チューブ７８の押圧の解除動作が行なわれる。またスイッチ９５が押圧操作された場合には、図１４Ｃに示すように、この押圧操作の時間を計測するとともに、この時間計測に応じて、絞り動作を行なう。そして絞り動作が、押圧時間と対応する絞り量になった時点で絞り動作を停止する。
【００５２】
次に上記制御回路４５に設けられているマイクロコンピュータによる自動開弁動作を図１５によって説明する。この動作は、長時間に亙って陰茎静脈１７と接続された高分子チューブ７８を閉止すると、陰茎が酸欠状態に陥るために、これを防止する動作である。すなわちマイクロコンピュータは閉弁状態かどうかの判断を行ない、閉弁状態であることが検出された場合には、時間計測を開始する。そして予め設定された所定の時間、例えば１時間を超えたかどうかの判断を行ない、超えた場合には開弁動作を行なう。従って陰茎の酸欠に伴う壊死を未然に解消することが可能になる。
【００５３】
なお図１０〜図１３に示す実施の形態において、高分子チューブ７８および押圧子８２から成る開閉弁を一対設けるとともに、これらの開閉弁を互いに並列に接続してもよい。このような構成によると、一方の開閉弁が故障して閉止した場合に、他方の開閉弁によって血液の流動を確保することが可能になり、故障時の安全性が向上する。
【００５４】
以上本願発明を図示の実施の形態によって説明したが、本願発明は上記実施の形態によって限定されることなく、本願発明の技術的思想の範囲内において各種の変更が可能である。例えば第１の実施の形態の電磁弁１８を第２の実施の形態の高分子チューブ７８に置換えることができる。また第２の実施の形態において、上記駆動回路４６によってモータ８６に代えて、電磁弁１８のコイル３８の制御を行なうようにしてもよい。また電磁弁１８あるいはモータ８６を制御するコントロールユニット４２の回路構成についても、各種の変更が可能である。
【産業上の利用可能性】
【００５５】
本願発明は、男性器である陰茎の勃起状態を制御する制御装置として広く利用可能であって、陰茎障害や、加齢に伴なう男性機能の低下を防止するのに好適である。従って再生医療器具に適用することにより、産業上利用可能性を有する。
【図面の簡単な説明】
【００５６】
【図１】心臓から陰茎への血流の流れの経路を示す人体の側断面図である。
【図２】陰茎内における血管の配置を示す正断面図である。
【図３】陰茎内の海綿体と血管の配置を示す斜視図である。
【図４】同要部拡大断面図である。
【図５】通常の状態の海綿体の模式的断面図である。
【図６】勃起状態の海綿体の模式的断面図である。
【図７】電磁弁の内部構造を示す断面図である。
【図８】変形例の電磁弁の接続を示す配置図および回路図である。
【図９】コントロールユニットとコマンダと充電器の回路構成を示すブロック図である。
【図１０】別の実施の形態の開閉弁を示す要部平面図である。
【図１１】同開閉弁による高分子チューブの開閉あるいは絞りの動作を示す縦断面図である。
【図１２】コントロールユニットの回路構成を示すブロック図である。
【図１３】コントロールユニットのケーシングを体内に埋設した状態を示す断面図である。
【図１４】コントロールユニットの制御回路にマイクロコンピュータを設けたときの制御動作を示すフローチャートである。
【図１５】自動開弁動作を示すフローチャートである。
【符号の説明】
【００５７】
１０  陰茎
１１  心臓
１２  腹部大動脈
１３  総腸骨動脈
１４  内腸骨動脈
１５  陰茎動脈
１７  陰茎静脈
１８  電磁弁
２１、２２  陰茎海綿体
２３  尿道海綿体
２４  白膜
２５  尿道
２７  陰茎深動脈
２８  らせん動脈
２９  陰茎背静脈
３０  陰茎背動脈
３２  平滑筋
３５  血液通路
３６  バルブシート
３７  弁体
３８  コイル
３９  ばね
４０  ダイヤフラム
４２  コントロールユニット
４３  アンテナ
４４  通信回路
４５  制御回路
４６  駆動回路
４８  コイル
４９  充電回路
５０  ２次電池
５１  電源回路
５４  コマンダ
５５、５６  キースイッチ
５７  制御回路
５８  送信回路
５９  アンテナ
６２  充電器
６３  電源回路
６４  コイル
７２  ケーシング
７３、７４  接続筒
７５  フランジ
７６  貫通孔
７８  高分子チューブ
８１  受け板
８２  押圧子
８３  雌ねじ孔
８４  送りねじ
８５  平歯車
８６  モータ
８７  駆動歯車
８８  被検出円板
８９  検出器
９０  プリント基板
９３〜９５  スイッチ
【図１】
2006280914.tif 000003
【図２】
2006280914.tif 000004
【図７】
2006280914.tif 000005
【図８】
2006280914.tif 000006
【図９】
2006280914.tif 000007
【図１０】
2006280914.tif 000008
【図１１】
2006280914.tif 000009
【図１２】
2006280914.tif 000010
【図１３】
2006280914.tif 000011
【図１４】
2006280914.tif 000012
【図１５】
2006280914.tif 000013
【図３】
2006280914.tif 000014
【図４】
2006280914.tif 000015
【図５】
2006280914.tif 000016
【図６】
2006280914.tif 000017